(57)【要約】【課題】  車の駐車スペースを有するフロアが複数設けられた駐車場の使い勝手を向上させるのにより好適な管理制御装置を実現する。【解決手段】  車の駐車スペースを有するフロアが複数設けられた駐車場の管理制御装置１は、フロア間を昇降する利用者用のエレベータ１０と、駐車スペースの識別符号を記憶するＩＣチップ１２を有する駐車券１４と、駐車場の歩行者出入口を有する出入口フロアに配設された駐車券読取装置１６と、駐車券１４を発行する指令を出力するとともにエレベータ１０を昇降する指令を出力する中央処理装置１８とを備え、中央処理装置１８は、駐車券読取装置１６により駐車券１４が読み取られたときエレベータ１０を出入口フロアに呼ぶ指令を出力するとともに、駐車券１４に関連付けられた駐車スペースのフロアにエレベータ１０を昇降させる指令を出力する。【選択図】  図１
2006221275.tif 000002
【特許請求の範囲】
【請求項１】
車の駐車スペースを有するフロアが複数設けられた駐車場と、前記フロア間を昇降する利用者用のエレベータと、前記駐車スペースの識別符号を記憶する手段を有する駐車券と、前記駐車場の歩行者出入口を有する出入口フロアに配設された駐車券読取装置と、前記駐車券を発行する指令を出力するとともに前記エレベータを昇降する指令を出力する中央処理装置とを備え、
前記中央処理装置は、前記駐車券読取装置により前記駐車券が読み取られたとき前記エレベータを前記出入口フロアに呼ぶ指令を出力するとともに、該駐車券に関連付けられた前記駐車スペースのフロアに前記エレベータを昇降させる指令を出力することを特徴とする駐車場の管理制御装置。
【請求項２】
前記駐車券読取装置は、前記駐車券に関連付けられた前記駐車スペースのフロアを音声案内又はモニタ表示する通知手段を有してなることを特徴とする請求項１に記載の駐車場の管理制御装置。
【請求項３】
前記駐車場内の各通路を照明する複数の第一の照明装置と、前記各駐車スペースを照明する複数の第二の照明装置とを備え、前記中央処理装置は、前記駐車券が発行されたとき、前記駐車場の入場口から該駐車券に関連付けられた駐車スペースに至るまでの通路に対応した前記第一の照明装置にオン信号を出力するとともに、前記駐車スペースに対応した前記第二の照明装置にオン信号を出力することを特徴とする請求項１又は２に記載の駐車場の管理制御装置。
【請求項４】
前記駐車場内の各通路を照明する複数の第一の照明装置と、前記各駐車スペースを照明する複数の第二の照明装置とを備え、前記中央処理装置は、前記駐車券読取装置により前記駐車券が読み取られたとき、該駐車券に関連付けられた駐車スペースから前記駐車場の退場口に至るまでの通路に対応した前記第一の照明装置にオン信号を出力するとともに、前記駐車スペースに対応した前記第二の照明装置にオン信号を出力することを特徴とする請求項１乃至３のいずれかに記載の駐車場の管理制御装置。
【発明の詳細な説明】
【技術分野】
【０００１】
本発明は、自動車の駐車スペースを有するフロアが複数設けられた駐車場を管理制御する装置に関する。
【背景技術】
【０００２】
自動車の駐車スペースを有するフロアが複数設けられた駐車場の管理制御装置として、各駐車スペースの駐車の有無を管理して駐車券を発行する指令を出力するとともに、各フロア間を昇降するエレベータに作動指令を出力する中央処理装置を有するものが知られている。
【０００３】
このような駐車場の管理制御装置においては、利用者の利便性を向上させるために、車の入庫時に駐車スペースの識別符号を印刷した駐車券を発行するとともに、入庫スペースのフロアにエレベータを自動的に呼ぶことにより、利用者のエレベータ待ち時間を短縮することが行われる（例えば、特許文献１参照）。
【０００４】
【特許文献１】特開平８−２０２９９７号公報
【発明の開示】
【発明が解決しようとする課題】
【０００５】
しかし、特許文献１のような方式では、所用を済ませた利用者が駐車場に戻ってきた際は、自己の車を駐車したフロアを記憶に頼って探すことになる。その場合、駐車フロアを探すのにエレベータを繰り返し使用すると、他の利用者のエレベータ待ち時間が増加するため、駐車場の使い勝手が悪くなることがある。
【０００６】
本発明の課題は、駐車スペースを有するフロアが複数設けられた駐車場の使い勝手を向上させるのにより好適な管理制御装置を実現することにある。
【課題を解決するための手段】
【０００７】
上記課題を解決するために、本発明の駐車場の管理制御装置は、車の駐車スペースを有するフロアが複数設けられた駐車場と、フロア間を昇降する利用者用のエレベータと、駐車スペースの識別符号を記憶する手段を有する駐車券と、駐車場の歩行者出入口を有する出入口フロアに配設された駐車券読取装置と、駐車券を発行する指令を出力するとともにエレベータを昇降する指令を出力する中央処理装置とを備え、中央処理装置は、駐車券読取装置により駐車券が読み取られたときエレベータを出入口フロアに呼ぶ指令を出力するとともに、駐車券に関連付けられた駐車スペースのフロアにエレベータを昇降させる指令を出力することを特徴とする。
【０００８】
これによれば、駐車券に関連付けられた駐車スペースは、利用者が自動車を駐車した駐車スペースに対応する。したがって、駐車券の識別符号を読み取ることにより、利用者が戻るべき駐車フロアを迅速かつ客観的に特定できる。特定した駐車フロアにエレベータを自動的に移動させることにより、エレベータの無駄な動きを抑制できる。その結果、エレベータの利用可能な時間が増加して他の利用者のエレベータ待ち時間が低減するため、駐車場の使い勝手を向上できる。
【０００９】
要するに、利用者が駐車場に戻った際の出入口フロアにエレベータを呼ぶとともに、エレベータの昇降先フロアを自動登録することにより、利用者が自動車を駐車したフロアを忘れた場合でも、駐車フロアに自動的に導かれるため、駐車場の使い勝手が向上する。
【００１０】
この場合、駐車券読取装置については、駐車券に関連付けられた駐車スペースのフロアを音声案内又はモニタ表示する通知手段を備えることができる。これによれば、駐車券読取装置に駐車券を投入したときに、通知手段により利用者が駐車フロアを認識できるため、より的確に駐車フロアに戻ることができる。
【００１１】
また、駐車券については、駐車スペースの識別符号を記憶するＩＣチップを貼付できる。これにより、駐車券を薄片（例えば、紙状）に形成できるから、利用者にとって便利である。なお、ＩＣチップに代えて、磁気記憶装置などの他の記憶手段を駐車券に搭載してもよい。
【００１２】
また、駐車場内の各通路を照明する複数の第一の照明装置と、各駐車スペースを照明する複数の第二の照明装置とを備え、中央処理装置は、駐車券が発行されたとき、駐車場の入場口から駐車券に関連付けられた駐車スペースに至るまでの通路に対応した第一の照明装置にオン信号を出力するとともに、駐車スペースに対応した第二の照明装置にオン信号を出力することができる。さらに、利用者が駐車場に戻って来た際に、駐車券読取装置により駐車券が読み取られたとき、駐車券に関連付けられた駐車スペースから駐車場の退場口に至るまでの通路に対応した第一の照明装置にオン信号を出力するとともに、駐車スペースに対応した第二の照明装置にオン信号を出力することができる。
【発明の効果】
【００１３】
本発明によれば、駐車スペースを有するフロアが複数設けられた駐車場の使い勝手を向上させるのにより好適な管理制御装置を実現できる。
【発明を実施するための最良の形態】
【００１４】
本発明を適用した駐車場の管理制御装置の一実施形態について図面を参照して説明する。図１は、本実施形態の駐車場の管理制御装置の構成図である。
【００１５】
図１に示すように、自動車の駐車スペースを有するフロアが複数設けられた駐車場の管理制御装置１は、フロア間を昇降する利用者用のエレベータ１０と、駐車スペースの識別符号を記憶する手段としてのＩＣチップ１２が貼付された駐車券１４と、駐車場と例えばショッピングモールとを連結する歩行者出入口を有する出入口フロアに配設された駐車券読取装置１６と、駐車券１４を発行する指令を出力するとともにエレベータ１０を昇降する指令を出力する中央処理装置１８を備えている。
【００１６】
ここで、本発明に関する中央処理装置１８は、出入口フロアの駐車券読取装置１６により駐車券１４が読み取られたとき、出入口フロアにエレベータ１０を呼ぶ指令を出力するとともに、駐車券１４に関連付けられた駐車スペースのフロアにエレベータ１０を昇降させる指令を出力する。
【００１７】
より詳細に管理制御装置１について説明する。図１に示すように、駐車場の管理制御装置１は、駐車場の自動車用の入場口に設けられた入場管理装置２０と、駐車場の自動車用の退場口に設けられた退場管理装置２２と、駐車場内の通路を照明する第一の照明装置としての複数の通路照明２４と、駐車スペースを照明する第二の照明装置としての複数の区画ゾーン照明２６と、出入口フロアのエレベータ乗り場に配設された駐車券読取装置１６と、各フロアのエレベータ乗り場に配設された複数の駐車券読取装置２８などから構成されている。このような入場管理装置２０、退場管理装置２２、通路照明２４、区画ゾーン照明２６、駐車券読取装置１６、駐車券読取装置２８との間でネットワーク３０を介して管理制御データを授受する中央処理装置１８が配設されている。
【００１８】
駐車場は、各フロアに複数の駐車スペースをビル内に有し、例えば最下階が出入口フロアとしてショッピングモールに連通している。同じフロアの複数の駐車スペースは、複数のグループに分けられる。ここでのグループを区画ゾーンと称する。同じ区画ゾーンに属する駐車スペースは、互いに近傍に位置しており、中央処理装置１８により一括して管理制御される。例えば、中央処理装置１８から出力された指令に応じ、区画ゾーン照明２６により区画ゾーン単位で明かりが照らされる。ただし、この形態に限らず、駐車スペース単位で管理制御してもよい。なお、本形態の駐車場を立体駐車場と称してもよい。
【００１９】
入場管理装置２０は、駐車場の入場口で自動車が入場するのを規制する入場ゲート３２と、駐車券１４を発行する発券機３４とを有する。また、退場管理装置２２は、駐車場の退場口で自動車が退場するのを規制する退場ゲート３６と、駐車券１４を回収する回収機３８と、駐車料金を集金する精算機４０とを有する。なお、入場ゲート３２及び退場ゲート３６は、開閉式のゲートであり、中央処理装置１８から指令が来るまで閉止している。
【００２０】
中央処理装置１８は、例えばコンピュータから構成されており、駐車情報データベース４２が記憶された記憶装置を有する。駐車情報データベース４２は、各駐車スペースに予め関連付けられた識別符号（例えば、識別番号）や、各駐車スペースの駐車の有無を示すデータなどの駐車情報を配列している。駐車情報データベース４２の駐車情報に基づき、中央処理装置１８は駐車場を管理制御する。
【００２１】
このように構成される管理制御装置１の動作について図２及び図３を参照して説明する。図２は、駐車場に自動車を入庫する際の管理制御装置１の全体動作を示すフローチャートである。なお、本処理は、中央処理装置１８が各構成部との間でネットワーク３０を介してデータや指令を授受することにより実現される。
【００２２】
自動車が駐車場の入場口に到着すると（Ｓ１００）、駐車情報データベース４２の駐車情報を検索することにより、駐車可能な駐車スペース、つまり空の状態の駐車スペースが特定される（Ｓ１０２）。駐車スペースが特定されると、その駐車スペースに対応した駐車券１４が発券機３４により発行される。発行された駐車券１４を利用者が受け取ると、入場ゲート３２が開放されることにより、自動車が入場ゲート３２を通過して駐車場に入場する（Ｓ１０４）。利用者に渡された駐車券１４は、特定された駐車スペースの識別番号を記憶したＩＣチップ１２が搭載されている。
【００２３】
Ｓ１０２の処理で検索された駐車スペースの識別番号に基づき、通路照明２４及び区画ゾーン照明２６に対してオン信号が出力される（Ｓ１０６）。例えば、駐車券１４が発行されたとき、中央処理装置１８は、駐車場の入場口から駐車券１４に関連付けられた駐車スペースに至るまでの通路に対応した通路照明２４にオン信号を出力するとともに、駐車スペースに対応した区画ゾーン照明２６にオン信号を出力する。中央処理装置１８から出力されたオン信号に応じ、駐車場の入場口から駐車スペースに至るまでの通路が通路照明２４により照明される。また、オン信号に応じ、駐車スペースの属する区画ゾーンが区画ゾーン照明２６により照らされる。これらの照明は、自動車を駐車スペースに導くための誘導表示になる。その照明に従って自動車が所定の駐車スペースに入庫される。
【００２４】
次に、駐車券１４が駐車券読取装置２８により読み取りされたか否かが検出される（Ｓ１０８）。例えば、駐車スペースに自動車を入庫するまでは、駐車券１４が読み取られることがないので、Ｓ１０６の処理を継続する。一方、駐車スペースに自動車を入庫した利用者は、駐車スペースからエレベータ乗り場に赴いた後、駐車券読取装置２８に駐車券１４を入力することにより、駐車券１４が駐車券読取装置２８により読み取られる。
【００２５】
駐車券１４が読み取られたときは、エレベータ１０の呼び指令が自動登録される（Ｓ１１０）。この登録に基づき、エレベータ１０は、利用者の待っているフロアに到着する。なお、駐車券１４の識別番号に基づき、通路照明２４及び区画ゾーン照明２６に対してオフ信号が出力される（Ｓ１１２）。利用者を乗せたエレベータ１０が例えば最下階の出入口フロアに到着すると、利用者は出入口フロアを介して例えばショッピングモールに赴くことができる。
【００２６】
図３は、駐車場から自動車を出庫する際の管理制御装置１の全体動作を示すフローチャートである。なお、本処理は、中央処理装置１８が各構成部との間でネットワーク３０を介してデータや指令を授受することにより実現される。
【００２７】
まず、駐車券１４が駐車券読取装置１６により読み取られたか否かが検出される（Ｓ２００）。例えば、ショッピングモールから駐車場に戻って来た利用者は、駐車券読取装置１６に駐車券１４を入力することにより、駐車券１４が駐車券読取装置１６により読み取られる。ここでの駐車券読取装置１６は、駐車場の出入口フロアのエレベータ乗り場に設置されている。
【００２８】
駐車券１４が読み取られたとき、エレベータ１０の呼び指令とエレベータ１０の行先フロアを自動登録する（Ｓ２０２）。例えば、駐車券読取装置１６から出力される読取結果（例えば、識別番号）に基づき、中央管理装置１８は、エレベータ１０を出入口フロアに呼ぶ指令を出力するとともに、駐車券１４の識別番号に関連付けられた駐車スペースのフロアにエレベータ１０を昇降させる指令を自動登録する。
【００２９】
また、駐車券読取装置１６から出力される読取結果に基づき、中央処理装置１８は、通路照明２４及び区画ゾーン照明２６に対しオン信号を出力する（Ｓ２０４）。例えば、駐車券読取装置１６により駐車券１４が読み取られたとき、駐車券１４に関連付けられた駐車スペースから駐車場の退場口に至るまでの通路に対応した通路照明２４にオン信号を出力するとともに、駐車スペースに対応した区画ゾーン照明２６にオン信号を出力する。オン信号に応じ、駐車スペースから退場口に至るまでの帰路が通路照明２４及び区画ゾーン照明２６により照明される。なお、駐車券１４の識別番号に関連付けられた駐車スペースは、図２の処理により利用者が自動車を駐車した駐車スペースに対応している。Ｓ２０４の処理においては、エレベータ１０が駐車スペースのフロアに到着したときに区画ゾーン照明２６をオンしてもよい。
【００３０】
次に、駐車券１４が回収機３８により回収されたか否かが検出される（Ｓ２０６）。例えば、駐車スペースから出庫した自動車が駐車場の退場口に来ると、自動車は退場ゲート３６で一時停止する。このとき、駐車券１４が利用者により回収機３８に投入されると、駐車券１４の識別番号に基づき駐車料金が精算機４０により求められる。求められた駐車料金は、精算機４０の表示モニタに表示される。利用者が駐車料金を支払うと、退場ゲート３６が開放することにより、自動車は退場ゲート３６を通過して駐車場から退場する。
【００３１】
また、Ｓ２０６の処理で駐車券１４が回収されたとき、Ｓ２０４の処理の通路照明２４及び区画ゾーン照明２６に対しオフ信号が出力される（Ｓ２０８）。さらに、駐車券１４の識別番号がネットワーク３０を介して中央処理装置１８に伝送される。伝送された識別番号に基づき駐車情報データベース４２が更新される（Ｓ２１０）。より具体的には、駐車情報データベース４２は、識別番号に対応する駐車スペースが空きの状態になったことを示すデータが登録される。
【００３２】
本実施形態によれば、Ｓ２００の処理の駐車券１４の識別番号に関連付けられた駐車スペースのフロアは、利用者が自動車を駐車したフロアに対応する。したがって、駐車券１４の識別番号を駐車券読取装置１６で読み取ることにより、利用者が戻るべき駐車フロアを迅速かつ客観的に特定できる。特定した駐車フロアにエレベータ１０を自動的に移動させることにより、エレベータ１０の無駄な動きを抑制できる。その結果、エレベータ１０の利用可能な時間が増加して他の利用者のエレベータ待ち時間が低減するため、駐車場の使い勝手が向上する。
【００３３】
要するに、利用者が駐車場に戻った際の出入口フロアにエレベータ１０を呼ぶとともに、エレベータ１０の昇降先を自動登録することにより、利用者が自動車を駐車したフロアを忘れた場合でも、駐車フロアに自動的に導かれるため、駐車場の使い勝手が向上する。
【００３４】
また、駐車券１４に基づきエレベータ１０が自動制御されるため、駐車券１４を持たない第三者はエレベータ１０を利用できず、駐車場のセキュリティが向上する。
【００３５】
さらに、Ｓ１０２の処理により各駐車スペースの駐車の有無を容易に把握できる。これにより、駐車場内の空き状況の管理が容易になる。しかも、各駐車スペースの駐車の有無を検出するセンサなどの機器類が不要になり、駐車場の製造及び管理コストを抑制できる。
【００３６】
この場合、駐車券読取装置１６については、駐車券１４に関連付けられた駐車スペースのフロアを音声案内又はモニタ表示する通知手段を備えることができる。これによれば、駐車券読取装置１６に駐車券１４を投入したときに、通知手段により利用者が駐車フロアを認識できるため、より的確に駐車フロアに戻ることができる。
【００３７】
また、駐車券１４については、ＩＣチップ１２を貼付することにより、薄片（例えば、紙状）に形成できるから、利用者にとって便利である。ＩＣチップ１２としては、データの読み取り機能に特化した例えばμチップ（登録商標）を用いることができる。また、ＩＣチップ１２に記憶された識別符号に基づき、例えば、利用者がショッピングモールで買い物した料金を集計してもよい。なお、ＩＣチップ１２に代えて、磁気記憶装置などの他の記憶手段を駐車券１４に搭載してもよい。要は、駐車スペースの識別符号を記憶でき、かつ駐車券１４に搭載できるものであればよい。
【００３８】
さらに本実施形態の効果について説明する。駐車場の照明を制御する従前の技術として、各駐車スペース付近やエレベータ付近、あるいは階段付近にセンサを配設し、各センサの検出結果に基づき駐車スペースの照明をオンオフ制御するもの（例えば、特開平８−２０２９９７号公報）がある。これに対し、本実施形態によれば、Ｓ１０６、Ｓ１１２、Ｓ２０４、Ｓ２０８の処理により、駐車券１４の発行、回収、あるいは読取結果に基づき、通路照明２４や区画ゾーン照明２６がオンオフ制御される。したがって、駐車場の省エネルギ化を図りつつ、例えば人体検出用センサなどの機器類を低減できる。
【００３９】
また、駐車場に入場した自動車を駐車スペースに誘導する従前の技術として、各駐車スペースや通路に誘導表示灯を配設し、誘導表示灯により自動車を駐車スペースに導くもの（例えば、特開平６−５２４９６号公報）がある。これに対し、本実施形態によれば、Ｓ１０６の処理で通路照明２４や区画ゾーン照明２６をオンオフ制御することにより、通路照明２４や区画ゾーン照明２６を誘導表示灯としても利用する。したがって、自動車の進行をガイドする誘導表示灯などの機器類を低減でき、自動車を誘導するシステムを安価に構築できる。
【図面の簡単な説明】
【００４０】
【図１】本発明を適用した一実施形態の駐車場の管理制御装置の構成図である。
【図２】駐車場に自動車を入庫する際の管理制御装置の動作を示すフローチャートである。
【図３】駐車場から自動車を出庫する際の管理制御装置の動作を示すフローチャートである。
【符号の説明】
【００４１】
１    管理制御装置
１０  エレベータ
１２  ＩＣチップ
１４  駐車券
１６  駐車券読取装置
１８  中央処理装置
【図１】
2006221275.tif 000003
【図２】
2006221275.tif 000004
【図３】
2006221275.tif 000005